(57)【要約】【課題】  縦枠を切り欠くことなく錠受け具を縦枠に取付けでき、且つ戸先框から鎌先部が突出することのないサッシの提供。【解決手段】  枠１と、引戸２と、枠の縦枠２２に取付ける錠受け具３と、引戸の戸先框２４に取付ける掘り込み錠４とを備え、掘り込み錠は、ケース５とケースに保持した鎌６を備え、ケースは縦枠側面が開口する鎌先収納凹部１２を有しており、収納凹部内で鎌先部１８が上下動するものであり、錠受け具３は、鎌先部と係合する受け部２１を有するとともに縦枠の見込み壁２３に取付けてあり、引戸を閉鎖した状態で錠受け部の受け部２１がケースの鎌先収納凹部１２に収納され、戸先框の室内側に設けた操作部１９の操作により鎌先部１８が収納凹部１２内で上下動し、錠受け具の受け部２１に対して係脱する。【選択図】      図１
2005344434.tif 000002
【特許請求の範囲】
【請求項１】
枠と、引戸と、錠受け具と、掘り込み錠とを備え、掘り込み錠は、鎌と、縦枠側面が開口する鎌先収納凹部と、鎌先収納凹部の上下から上下方向に突出する取付部と、鎌先収納凹部の底壁から開口部と反対側に突出する保持部からなり、保持部にはガイド孔が設けてあり、鎌は、保持部に上下動自在に保持してある本体部と、本体部の縦枠側に設けた鎌先部と、戸先框の室内側に設けた操作部を有し、操作部は、ガイド孔に通して上下動自在に取付けてあり且つ本体部と連結してあり、鎌先部は鎌先収納凹部内で上下動するものであり、錠受け具は、鎌先部と係合する受け部を有するとともに縦枠の見込み壁に取付けてあり、掘り込み錠は、保持部と鎌先収納凹部を引戸戸先框の見込み壁に形成した切り欠き孔から戸先框内に収容してあり、取付部を戸先框の見込み壁に固定することにより戸先框に取付けてあり、錠受け具の受け部は、引戸閉鎖状態で鎌先収納凹部内に位置しており、操作部の操作により上下動する鎌先部が受け部に係脱自在となっていることを特徴とするサッシ。
【発明の詳細な説明】
【技術分野】
【０００１】
本発明は、施錠できる引戸を備えたサッシに関するものである。
【背景技術】
【０００２】
引戸の錠としては、引戸の戸先框の見込み面から鎌が回動して出没し、縦枠に設けた錠受け具に鎌が係合して施錠するものがある。そのような錠では、錠受け具を縦枠に埋め込んで設置するために縦枠を大きく切り欠く必要があり、加工費用が増大している。さらに、錠受け具は貫通孔を有していることが多く、その貫通孔や、錠受け具と枠との間の隙間などから水が浸入し、躯体に漏水する問題がある。
【０００３】
特許文献１には、下向きＬ字状のロック受け部を縦枠の内周側に突出して設け、引戸の戸先框の見込み面から板状のロック体を突出して設け、ロック体を上下スライドさせて、ロック体の係止孔にロック受け部を係止して施錠するものが記載されている。このような構造とすれば、縦枠に大きな切り欠きを設ける必要がなく、ロック受け部からの漏水を極力防止できるが、戸先框の見込み面からロック体が常時突出することとなるので、出入りのときに手の指や衣服をロック体に引っ掛けるおそれがあり、好ましくない。
【特許文献１】特開平７−１５０８３８号公報
【発明の開示】
【発明が解決しようとする課題】
【０００４】
本発明は以上に述べた実情に鑑みてなされたものであって、縦枠を切り欠くことなく錠受け具を縦枠に取付けでき、且つ戸先框から鎌先部が突出することのないサッシの提供を目的とする。
【課題を解決するための手段】
【０００５】
上記の課題を達成するために本発明のサッシは、枠と、引戸と、錠受け具と、掘り込み錠とを備え、掘り込み錠は、鎌と、縦枠側面が開口する鎌先収納凹部と、鎌先収納凹部の上下から上下方向に突出する取付部と、鎌先収納凹部の底壁から開口部と反対側に突出する保持部からなり、保持部にはガイド孔が設けてあり、鎌は、保持部に上下動自在に保持してある本体部と、本体部の縦枠側に設けた鎌先部と、戸先框の室内側に設けた操作部を有し、操作部は、ガイド孔に通して上下動自在に取付けてあり且つ本体部と連結してあり、鎌先部は鎌先収納凹部内で上下動するものであり、錠受け具は、鎌先部と係合する受け部を有するとともに縦枠の見込み壁に取付けてあり、掘り込み錠は、保持部と鎌先収納凹部を引戸戸先框の見込み壁に形成した切り欠き孔から戸先框内に収容してあり、取付部を戸先框の見込み壁に固定することにより戸先框に取付けてあり、錠受け具の受け部は、引戸閉鎖状態で鎌先収納凹部内に位置しており、操作部の操作により上下動する鎌先部が受け部に係脱自在となっていることを特徴とする。
【発明の効果】
【０００６】
本発明によるサッシは、掘り込み錠に鎌先収納凹部を備え、鎌先部が鎌先収納凹部内で上下動し戸先框から外部に突出することがないので、出入りの際に手の指や衣服が鎌先部に引っ掛かることがない。また掘り込み錠は、鎌が上下動する単純な構造となっており、戸先框への取り付けも戸先框の見込み面側から容易に行うことができる。錠受け具は、鎌先部と係合する受け部が引戸閉鎖状態で鎌先収納凹部に収納されるので、縦枠を切り欠くことなく取付け出来る。
【発明を実施するための最良の形態】
【０００７】
以下、本発明の実施の形態を図面に基づいて説明する。図６は、本発明のサッシの一実施形態であって、浴室出入口に設ける片引き引戸の場合を示している。このサッシは、上下左右枠を枠組みしてなる枠１内に一枚の引戸２を備え、引戸２は上枠２８と下枠２９のレールに案内して左右に移動自在に設けてあり、左側の縦枠２２に戸先框２４を当接して出入口の開口３０を閉鎖する。引戸の戸先框２４には掘り込み錠４と取手３１を取付けてあり、戸先框２４に当接する左側の縦枠２２には錠受け具３を取付けてある。
【０００８】
掘り込み錠４は、図１に示すように、ケース５と、ケースに保持した鎌６とを備える。ケース５は、図５に示すように、室内側壁７、室外側壁８、上壁９、下壁１０、底壁１１とから、縦枠２２に面した左側の側面が開口した鎌先収納凹部１２を形成してあり、上壁９と下壁１０の開口側縁に、取付部１３を上方と下方にそれぞれ突出して形成してある。底壁１１の外側面には、二枚の保持片１４，１４を室内外方向に間隔を開けて側方に突設してあり、保持片１４，１４間に鎌６の本体部１７を保持している。各保持片１４には、上下方向に長い長方形のガイド孔１６を形成してあり、保持片１４の内側面には、図１と図２に示すように、鎌６を上位置と下位置に位置決めするための係止溝３２を、上下に間隔をおいて２本形成してある。
ケース５は、図５に示すように、保持片１４と鎌先収納凹部１２を引戸の戸先框２４の見込み壁２５に形成した切り欠き孔２６より戸先框の中空部２７内に収容し、取付部１３を見込み壁２５にビス３３で固定している。戸先框２４の見込み壁２５は、室内外の側壁の端縁から奥まって形成してあるため、ケースの取付部１３は戸先框２４から突出せず、また見込み壁の切り欠き孔２６は、図４に示すように、ケース５の前面によって隠蔽してある。
【０００９】
鎌６の本体部１７は、ステンレス板から形成した鎌片３４と、鎌片を室内側と室外側から挟む樹脂製のスライド片３５とで構成され、ケース５の室内外の保持片１４の間に挟み込んで保持してある。また鎌６の本体部１７には、室内外方向に貫通する四角孔３６を形成してあり、戸先框２４の室内側面に突出して設けた操作部１９から框を室内外方向に貫通して延びる角棒３７を、保持片のガイド孔１６と鎌の本体部の四角孔３６に挿通してあり、操作部１９を上下に動かすことで鎌６が上下にスライドする。鎌片３４とスライド片３５とは、ピン３８を差し込むことで互いに位置がずれないようにしてある。
鎌片３４は、本体部１７から縦枠２２側に突出するカギ状の鎌先部１８を備え、図１に示すように、鎌先部１８はケースの底壁１１に形成した上下方向の長孔１５を貫通し、鎌先収納凹部１２内で上下に移動する。スライド片３５は、本体部１７から上向きに延びる係止片３９を備え、係止片３９の表面には突起４０を形成してあり、図４に示すように、その突起４０を保持片の係止溝３２に係止することで、鎌６が上位置と下位置に位置決めされるようにしている。またスライド片３５は、四角孔３６の周りに突部４１を形成してあり、その突部４１を支持片のガイド孔１６の内周に係止している。図中の４２は、操作部１９を抜け止めする受け部材であって、戸先框２４の室外側面に当接し、裏面側に形成した突起部４３を、操作部１９から延びる角棒３７の先端に差し込んで係止してある。受け部材４２の表面には横向きの溝が形成してあり、緊急時には該溝にドライバー等を引っ掛けて受け部材４２を上下に動かすことで、室外側からも解錠できる。なお、戸先框２４の室内側面と室外側面には、角棒３７が上下動できる長孔４４を、掘り込み錠の取付け前にあらかじめ形成しておく必要がある。
【００１０】
錠受け具３は、ステンレス板からなる座板２０と、座板２０を切り起こして形成した横向きカギ状の受け部２１とを有している。錠受け具３は、縦框２２の見込み壁２３に内側から当接させ、ビス４５で固定してあり、引戸２を閉鎖したときには、図１〜３に示すように、錠受け具の受け部２１はケースの鎌先収納凹部１２に収納される。図１に示すように、引戸を閉鎖した状態で鎌６を上位置にすると、鎌の鎌先部１８が錠受け具の受け部２１と係合して引戸２が施錠され、図２に示すように鎌６を下位置に移動すると、鎌の鎌先部１８が錠受け具の受け部２１から抜けて解錠される。
【００１１】
縦枠２２の見込み壁２３には、図３に示すように、戸先框２４先端部の室内側と室外側の位置の二箇所にカバー片４６を形成してあり、カバー片４６の内側にはゴム質のフィン４７を取り付けてあり、このフィン４７が引戸閉鎖時に戸先框２４の室内側と室外側に密着することで、引戸閉鎖時における高い水密性を確保している。カバー片４６は、錠受け具の受け部２１の突出高さよりも高い位置まで突出しており、人が出入りする際に錠受け具の受け部２１に指や衣服が引っ掛かるのを防いでいる。
【００１２】
本サッシは以上に述べたように構成され、引戸２を施錠するための鎌６の鎌先部１８が、戸先框２４に埋め込んだケース５の鎌先収納凹部１２内で上下動し、戸先框２４から突出することがないので、出入りの際に指や衣服が引っ掛かるおそれがなく、さらに戸先框２４のケース収納用の切り欠き孔２６もケース５で隠蔽してあるので、該切り欠き孔２６で指を切る心配もなく、浴室の出入口用に最適なものとなっている。
また、掘り込み錠４の戸先框２４への取付けは、戸先框の見込み壁２５に形成した切り欠き孔２６からケース５を框の中空部２７内に差し入れることで、簡易に行うことができる。錠受け具３は、縦枠２２を切り欠くことなく、縦枠の見込み壁２３に当接してそのまま固定すればよく、錠受け具３の取付け作業を簡略的に行うことができ、且つ錠受け具３のまわりから躯体への漏水も防止できる。
【００１３】
本発明のサッシは以上に述べた実施形態に限定されない。施錠・解錠時の鎌の位置は、上下逆にしたものであってもよい。操作部は、室内側から鎌の本体部を上下に動かせるものであればよく、その設ける位置は、図７に示すように、引戸のパネル４８よりも室内側の戸先框２４の内周側側面４９であってもよい。本発明のサッシは、浴室の出入口以外にも、例えばトイレ、勝手口等にも利用できる。
【図面の簡単な説明】
【００１４】
【図１】掘り込み錠の周辺部分の縦断面図であって、施錠したときの状態を示している。
【図２】掘り込み錠の周辺部分の縦断面図であって、解錠したときの状態を示している。
【図３】掘り込み錠の周辺部分の横断面図である。
【図４】掘り込み錠を戸先框に取付けた状態で後から見た図である。
【図５】掘り込み錠の分解斜視図である。
【図６】本発明のサッシの一実施形態を示す正面図である。
【図７】操作部の別の実施形態を示す掘り込み錠周辺部分の横断面図である。
【符号の説明】
【００１５】
１  枠
２  引戸
３  錠受け具
４  掘り込み錠
５  ケース
６  鎌
７  室内側壁
８  室外側壁
９  上壁
１０  下壁
１１  底壁
１２  鎌先収納凹部
１３  取付部
１４  保持片（保持部）
１５  長孔
１６  ガイド孔
１７  本体部
１８  鎌先部
１９  操作部
２０  座板
２１  受け部
２２  縦枠
２３  縦枠の見込み壁
２４  戸先框
２５  戸先框の見込み壁
２６  切り欠き孔
２７  中空部
【図１】
2005344434.tif 000003
【図２】
2005344434.tif 000004
【図３】
2005344434.tif 000005
【図４】
2005344434.tif 000006
【図５】
2005344434.tif 000007
【図６】
2005344434.tif 000008
【図７】
2005344434.tif 000009